(57)【要約】【課題】ＰＯＳ装置側で、セルフ洗車機の集計金額を容易に管理し、セルフ洗車機での現金回収操作の有無を容易に確認する。【解決手段】洗車機１０は、現金を収納する現金収納部１２と、売上操作が行われると、売上金額を含む売上情報をＰＯＳ装置２０に送信する売上情報送信部１３と、売上情報の売上金額を計上する売上金額計上部１４と、現金収納部１２の現金回収用の開閉扉が開けられたか否かを検知する開閉検知部１５と、開閉扉の開きが検知されると、売上金額計上部１４にてその時点で計上されている回収金額を含む回収情報をＰＯＳ装置２０に送信する回収情報送信部１６とを有する。ＰＯＳ装置２０は、洗車機１０から受信した売上情報を格納する売上情報格納部２２と、洗車機１０から回収情報を受信すると、売上情報の売上金額を一括して集計し、集計された集計金額が回収情報の回収金額と一致するか否かを確認する集計処理部２４とを有する。【選択図】図１
2008140163.tif 000002
【特許請求の範囲】
【請求項１】
洗車機と、前記洗車機の売上金額を集計するＰＯＳ装置とを有してなる洗車機売上金額集計システムであって、
前記洗車機は、
洗車料金として入金された現金を収納する現金収納部と、
洗車料金の入金操作を含む売上操作が行われると、入金された金額を表す売上金額を含む売上情報を、前記ＰＯＳ装置に対して送信する売上情報送信部と、
前記ＰＯＳ装置に対して送信された前記売上情報の売上金額を計上する売上金額計上部と、
前記現金収納部の現金回収用の開閉扉が開けられたか否かを検知する開閉検知部と、
前記開閉検知部にて前記開閉扉が開けられたことが検知されると、前記売上金額計上部にてその時点で計上されている金額を表す回収金額を含む回収情報を、前記ＰＯＳ装置に対して送信する回収情報送信部とを有し、
前記ＰＯＳ装置は、
前記洗車機から受信した前記売上情報を格納する売上情報格納部と、
前記洗車機から前記回収情報を受信すると、前記売上情報格納部に格納されている前記売上情報の売上金額を一括して集計し、集計された集計金額が前記回収情報の回収金額と一致するか否かを確認する集計処理部とを有する、洗車機売上金額集計システム。
【請求項２】
前記売上情報送信部は、洗車料金の入金日時も前記売上情報に含めて送信し、
前記売上金額計上部は、前記ＰＯＳ装置に対して送信された前記売上情報のうち、前記入金日時が、前記開閉検知部にて前記開閉扉が開けられたことが前回検知された日時と今回検知された日時の間にある売上情報の売上金額のみを計上し、
前記回収情報送信部は、前記開閉検知部にて前記開閉扉が開けられたことが検知された日時を表す回収日時も前記回収情報に含めて送信し、
前記集計処理部は、前記売上情報格納部に格納されている前記売上情報のうち、前記入金日時が、前回受信した回収情報の回収日時と今回受信した回収情報の回収日時の間にある売上情報の売上金額のみを一括して集計し、集計された集計金額が今回受信した回収情報の回収金額と一致するか否かを確認する、請求項１に記載の洗車機売上金額集計システム。
【請求項３】
洗車機と、前記洗車機の売上金額を集計するＰＯＳ装置とによる洗車機売上金額集計方法であって、
前記洗車機が、洗車料金の入金操作を含む売上操作が行われると、入金された金額を表す売上金額を含む売上情報を、前記ＰＯＳ装置に対して送信する売上情報送信ステップと、
前記洗車機が、前記ＰＯＳ装置に対して送信された前記売上情報の売上金額を売上金額計上部にて計上する売上金額計上ステップと、
前記ＰＯＳ装置が、前記洗車機から受信した前記売上情報を売上情報格納部に格納する売上情報格納ステップと、
前記洗車機が、洗車料金として入金された現金を収納する現金収納部の現金回収用の開閉扉が開けられたか否かを検知する開閉検知ステップと、
前記洗車機が、前記開閉扉が開けられたことが検知されると、前記売上金額計上部にてその時点で計上されている金額を表す回収金額を含む回収情報を、前記ＰＯＳ装置に対して送信する回収情報送信ステップと、
前記ＰＯＳ装置が、前記洗車機から前記回収情報を受信すると、前記売上情報格納部に格納されている前記売上情報の売上金額を一括して集計し、集計された集計金額が前記回収情報の回収金額と一致するか否かを確認する集計処理ステップとを有する、洗車機売上金額集計方法。
【請求項４】
前記売上情報送信ステップでは、洗車料金の入金日時も前記売上情報に含めて送信し、
前記売上金額計上ステップでは、前記ＰＯＳ装置に対して送信された前記売上情報のうち、前記入金日時が、前記開閉扉が開けられたことが前回検知された日時と今回検知された日時の間にある売上情報の売上金額のみを計上し、
前記回収情報送信ステップでは、前記開閉扉が開けられたことが検知された日時を表す回収日時も前記回収情報に含めて送信し、
前記集計処理ステップでは、前記売上情報格納部に格納されている前記売上情報のうち、前記入金日時が、前回受信した回収情報の回収日時と今回受信した回収情報の回収日時の間にある売上情報の売上金額のみを一括して集計し、集計された集計金額が今回受信した回収情報の回収金額と一致するか否かを確認する、請求項３に記載の洗車機売上金額集計方法。
【発明の詳細な説明】
【技術分野】
【０００１】
本発明は、洗車機売上金額集計システムおよびその方法に関する。
【背景技術】
【０００２】
最近、洗車コースの選択、洗車料金の現金入金といった一連の処理を、洗車利用者がセルフサービスで行う、いわゆるセルフ洗車機が広く普及している。
【０００３】
また、特許文献１には、セルフ洗車機に、デジタルバスを介してＰＯＳ装置を接続する技術が開示されている。
【０００４】
このようにセルフ洗車機にＰＯＳ装置を接続すれば、セルフ洗車機での売上情報をＰＯＳ装置に対して送信することができるため、ＰＯＳ装置が、セルフ洗車機での売上金額を容易に集計することができるようになる。
【特許文献１】特開平１−２４０３４９号公報
【発明の開示】
【発明が解決しようとする課題】
【０００５】
しかしながら、上述の従来技術においては、次のような課題がある。
【０００６】
第１の課題は、ＰＯＳ装置側で、セルフ洗車機の売上金額を集計した集計金額が、セルフ洗車機から回収した回収金額と一致するかを確認するには、ＰＯＳ装置に回収金額を手入力する等の操作が必要となり、売上金額の管理が煩雑になるということである。
【０００７】
第２の課題は、ＰＯＳ装置側で、セルフ洗車機にて現金を回収する現金回収操作が行われたか否かを確認することができないということである。
【０００８】
そこで、本発明の目的は、ＰＯＳ装置側で、セルフ洗車機の集計金額を容易に管理することができるとともに、セルフ洗車機での現金回収操作の有無を容易に確認することができる洗車機売上金額集計システムおよびその方法を提供することにある。
【課題を解決するための手段】
【０００９】
上記目的を達成するために本発明の洗車機売上金額集計システムは、
洗車機と、前記洗車機の売上金額を集計するＰＯＳ装置とを有してなる洗車機売上金額集計システムであって、
前記洗車機は、
洗車料金として入金された現金を収納する現金収納部と、
洗車料金の入金操作を含む売上操作が行われると、入金された金額を表す売上金額を含む売上情報を、前記ＰＯＳ装置に対して送信する売上情報送信部と、
前記ＰＯＳ装置に対して送信された前記売上情報の売上金額を計上する売上金額計上部と、
前記現金収納部の現金回収用の開閉扉が開けられたか否かを検知する開閉検知部と、
前記開閉検知部にて前記開閉扉が開けられたことが検知されると、前記売上金額計上部にてその時点で計上されている金額を表す回収金額を含む回収情報を、前記ＰＯＳ装置に対して送信する回収情報送信部とを有し、
前記ＰＯＳ装置は、
前記洗車機から受信した前記売上情報を格納する売上情報格納部と、
前記洗車機から前記回収情報を受信すると、前記売上情報格納部に格納されている前記売上情報の売上金額を一括して集計し、集計された集計金額が前記回収情報の回収金額と一致するか否かを確認する集計処理部とを有することを特徴とする。
【００１０】
上記目的を達成するために本発明の洗車機売上金額集計方法は、
洗車機と、前記洗車機の売上金額を集計するＰＯＳ装置とによる洗車機売上金額集計方法であって、
前記洗車機が、洗車料金の入金操作を含む売上操作が行われると、入金された金額を表す売上金額を含む売上情報を、前記ＰＯＳ装置に対して送信する売上情報送信ステップと、
前記洗車機が、前記ＰＯＳ装置に対して送信された前記売上情報の売上金額を売上金額計上部にて計上する売上金額計上ステップと、
前記ＰＯＳ装置が、前記洗車機から受信した前記売上情報を売上情報格納部に格納する売上情報格納ステップと、
前記洗車機が、洗車料金として入金された現金を収納する現金収納部の現金回収用の開閉扉が開けられたか否かを検知する開閉検知ステップと、
前記洗車機が、前記開閉扉が開けられたことが検知されると、前記売上金額計上部にてその時点で計上されている金額を表す回収金額を含む回収情報を、前記ＰＯＳ装置に対して送信する回収情報送信ステップと、
前記ＰＯＳ装置が、前記洗車機から前記回収情報を受信すると、前記売上情報格納部に格納されている前記売上情報の売上金額を一括して集計し、集計された集計金額が前記回収情報の回収金額と一致するか否かを確認する集計処理ステップとを有することを特徴とする。
【発明の効果】
【００１１】
以上説明したように本発明によれば、洗車機にて売上操作が行われると、売上情報がＰＯＳ装置に送信され、ＰＯＳ装置にて売上情報が格納される。そして、洗車機にて現金収納部の開閉扉が開けられると、回収情報がＰＯＳ装置に送信され、ＰＯＳ装置にて売上情報の売上金額が一括して集計され、その集計金額が回収金額と一致するか確認される。
【００１２】
したがって、洗車機にて同日内に複数回の現金回収操作が複数回行われた場合でも、ＰＯＳ装置側では、集計金額が回収金額と一致するため、洗車機の売上金額を容易に管理することができるという効果が得られる。
【００１３】
また、洗車機からＰＯＳ装置に回収情報を送信することによって、ＰＯＳ装置側では、洗車機での現金回収操作の有無を容易に確認することができるという効果が得られる。
【発明を実施するための最良の形態】
【００１４】
以下に、本発明を実施するための最良の形態について図面を参照して説明する。
【００１５】
図１を参照すると、本実施形態の洗車機売上金額集計システムは、セルフ洗車機（以下、単に「洗車機」と称す）１０と、ＰＯＳ装置２０とを有している。
【００１６】
なお、洗車機１０とＰＯＳ装置２０との接続方法としては、例えば、特許文献１のように、デジタルバスを介して接続する方法を用いることができるが、特に限定はない。
【００１７】
また、図１は、本発明を実施するための要部の構成を示すものであり、実際には、当然ながら洗車を行う洗車機本体等も設けられている。
【００１８】
洗車機１０は、入力部１１と、現金収納部１２と、売上情報送信部１３と、売上金額計上部１４と、開閉検知部１５と、回収情報送信部１６とを有している。
【００１９】
入力部１１は、洗車利用者が洗車コースの選択等を行う操作パネル等である。
【００２０】
現金収納部１２は、洗車利用者が不図示の現金投入口から洗車料金として入金した現金を収納する。なお、現金収納部１２に収納された現金は、業者の回収員が不図示の現金回収用の開閉扉を開けて回収する。
【００２１】
売上情報送信部１３は、洗車利用者が洗車コースの選択、洗車料金の現金入金といった売上操作を行うと、表１に示すように、洗車機１０の識別子を表す洗車機ＩＤ、洗車料金が入金された日時を表す入金日時、入金された金額を表す売上金額等を含む売上情報を、ＰＯＳ装置２０に対して送信する。
【００２２】
【表１】
2008140163.tif 000003
【００２３】
売上金額計上部１４は、売上情報送信部１３からＰＯＳ装置２０に送信された売上情報の売上金額の売上金額を計上する。
【００２４】
具体的には、売上金額計上部１４は、売上情報送信部１３からＰＯＳ装置２０に送信された売上情報の売上金額のうち、前回の現金回収時から今回の現金回収時までの間に入金された売上金額のみを計上する。なお、前回の現金回収時から今回の現金回収時の間に入金された売上金額であるか否かの判断は、売上情報の入金日時が、開閉検知部１５にて現金収納部１２の開閉扉が開けられたことが前回検知された日時と今回検知された日時の間にあるか否かに応じて判断することになる。
【００２５】
開閉検知部１５は、業者の回収員が現金収納部１２から現金を回収する現金回収操作を行う際に、現金収納部１２の現金回収用の開閉扉が開けられたか否かを検知する。なお、検知方法としては、例えば、適正位置に発光素子と受光素子を配置し、発光素子からの光を受光素子で受光できるか否かに応じて検知を行うといった、一般的な方法を用いることができ、特に限定はない。
【００２６】
回収情報送信部１６は、開閉検知部１５にて現金収納部１２の開閉扉が開けられたことが検知されると、表２に示すように、洗車機ＩＤ、開閉検知部１５にて現金収納部１２の開閉扉が開けられたことが検知された日時を表す回収日時、売上金額計上部１４にてその時点で計上されている金額を表す回収金額等を含む回収情報を、ＰＯＳ装置２０に対して送信する。
【００２７】
【表２】
2008140163.tif 000004
【００２８】
ＰＯＳ装置２０は、売上情報受信部２１と、売上情報格納部２２と、回収情報受信部２３と、集計処理部２４とを有している。
【００２９】
売上情報受信部２１は、洗車機１０から送信されてきた売上情報を受信する。
【００３０】
売上情報格納部２２は、売上情報受信部２１で受信した売上情報を格納する。
【００３１】
回収情報受信部２３は、洗車機１０から送信されてきた回収情報を受信する。
【００３２】
集計処理部２４は、回収情報受信部２３で回収情報を受信すると、売上情報格納部２２に格納されている売上情報の売上金額を一括して集計し、その集計金額が回収情報の回収金額と一致することを確認した上で、その集計金額を伝票にて出力する。
【００３３】
具体的には、集計処理部２４は、売上情報格納部２２に格納されている売上情報の売上金額のうち、前回の現金回収時から今回の現金回収時までの間に入金された売上金額のみを一括して集計する。なお、前回の現金回収時から今回の現金回収時の間に入金された売上金額であるか否かの判断は、売上情報の入金日時が、前回受信した回収情報の回収日時と今回受信した回収情報の回収日時の間にあるか否かに応じて判断することになる。
【００３４】
以下、本実施形態の洗車機売上金額集計システムの動作について、図２のフローチャートを参照して説明する。
【００３５】
まず、洗車機１０において、洗車利用者が洗車コースの選択、洗車料金の現金入金といった売上操作を行う（ステップ２０１）。
【００３６】
すると、売上情報送信部１３は、洗車機ＩＤ、入金日時、売上金額等を含む売上情報を、ＰＯＳ装置２０に対して送信する（ステップ２０２）。
【００３７】
売上金額計上部１４は、売上情報送信部１３からＰＯＳ装置２０に送信される売上情報の売上金額のうち、前回の現金回収時から今回の現金回収時までの間に入金された売上金額を計上する（ステップ２０３）。
【００３８】
ＰＯＳ装置２０においては、売上情報受信部２１にて売上情報が受信されると（ステップ２０４）、売上情報格納部２２が、その売上情報を格納する（ステップ２０５）。
【００３９】
以降、洗車機１０の現金収納部１２の開閉扉が開けられたことが検知されるまでの間は、売上操作が行われるたびに、上記動作が繰り返される。
【００４０】
ここで、洗車機１０において、業者の回収員が現金収納部１２から現金を回収する現金回収操作を行う際に、現金収納部１２の開閉扉が開けられたことが、開閉検知部１５で検知されたとする（ステップ２０６）。
【００４１】
すると、回収情報送信部１６は、洗車機ＩＤ、回収日時、回収金額等を含む回収情報を、ＰＯＳ装置２０に対して送信する（ステップ２０７）。
【００４２】
ＰＯＳ装置２０においては、回収情報受信部２３にて回収情報が受信されると（ステップ２０８）、集計処理部２４が、集計処理を行う（ステップ２０９）。具体的には、集計処理部２４は、売上情報格納部２２に格納された売上情報に対して売上確定（締め）処理を行い、売上情報の売上金額のうち前回の現金回収時から今回の現金回収時までの間に入金された売上金額を一括して集計し、その集計金額が回収情報に含まれる回収金額と一致することを確認した上で、その集計金額を伝票にて出力する。
【００４３】
上述したように本実施形態においては、洗車機１０にて売上操作が行われると、売上情報がＰＯＳ装置２０に送信され、ＰＯＳ装置２０にて売上情報が格納される。そして、洗車機１０にて現金回収操作が行われて現金収納部１２の開閉扉が開けられると、回収情報がＰＯＳ装置２０に送信され、ＰＯＳ装置２０にて売上情報の売上金額が一括して集計され、その集計金額が回収金額と一致すると確認された上で、伝票にて出力される。
【００４４】
したがって、洗車機１０にて同日内に複数回の現金回収操作が複数回行われた場合でも、ＰＯＳ装置２０側では、集計金額が回収金額と一致するため、洗車機１０の売上金額を容易に管理することができる。
【００４５】
また、洗車機１０からＰＯＳ装置２０に回収情報を送信することによって、ＰＯＳ装置２０側では、洗車機１０での現金回収操作の有無を容易に確認することができる。
【図面の簡単な説明】
【００４６】
【図１】本発明の一実施形態の洗車機売上金額集計システムの構成を示すブロック図である。
【図２】図１に示した洗車機売上金額集計システムの動作を説明するフローチャートである。
【符号の説明】
【００４７】
１０    セルフ洗車機
１１    入力部
１２    現金収納部
１３    売上情報送信部
１４    売上金額計上部
１５    開閉検知部
１６    回収情報送信部
２０    ＰＯＳ装置
２１    売上情報受信部
２２    売上情報格納部
２３    回収情報受信部
２４    集計処理部
【図１】
2008140163.tif 000005
【図２】
2008140163.tif 000006